(57)【要約】【課題】制御管理プレーンをモニタリングして無線装置における問題解決を効率的に行なうこと。【解決手段】アンテナを介して受信した無線信号に対し、無線制御装置からの指示に応じた処理を施す演算処理手段と、無線制御装置から送信された第１制御信号を受信する第１受信手段と、第１制御信号に含まれる第１監視制御データを演算処理手段に送信する第１中継手段と、演算処理手段を経由した第１監視制御データを受信して第１受信手段に送信する第２中継手段と、第１受信手段から第１中継手段に送信された第１監視制御データと、第２中継手段から第１受信手段に送信された演算処理手段を経由した第１監視制御データとをモニタリングするモニタリング手段と、を備えることを特徴とする。【選択図】  図１
2013141130.tif 000002
【特許請求の範囲】
【請求項１】
アンテナを介して受信した無線信号に対し、無線制御装置からの指示に応じた処理を施す演算処理手段と、
前記無線制御装置から送信された第１制御信号を受信する第１受信手段と、
前記第１制御信号に含まれる第１監視制御データを前記演算処理手段に送信する第１中継手段と、
前記演算処理手段を経由した前記第１監視制御データを受信して前記第１受信手段に送信する第２中継手段と、
前記第１受信手段から前記第１中継手段に送信された前記第１監視制御データと、前記第２中継手段から前記第１受信手段に送信された前記演算処理手段を経由した前記第１監視制御データとをモニタリングするモニタリング手段と、
を備えることを特徴とする無線装置。
【請求項２】
前記第１受信手段から前記第１中継手段に送信される前記第１監視制御データと、前記第２中継手段から前記第１受信手段に送信される前記第１監視制御データのいずれかをモニタリング対象として選択する選択手段、
をさらに備えることを特徴とする請求項１に記載の無線装置。
【請求項３】
前記モニタリング手段は、前記第１中継手段から前記演算処理手段に送信される前記第１監視制御データと、前記演算処理手段から前記第２中継手段に送信され前記第１監視制御データとをモニタリングすることを特徴とする請求項１または２に記載の無線装置。
【請求項４】
他の無線装置から送信された第２制御信号を受信する第２受信手段をさらに備え、
前記モニタリング手段は、前記第２受信手段から送信された前記第２制御信号に含まれる第２監視制御データと、前記第１中継手段から送信された第１監視制御データとをモニタリングすることを特徴とする請求項１ないし３のいずれか１項に記載の無線装置。
【請求項５】
アンテナを介して受信した無線信号に対し、無線制御装置からの指示に応じた処理を施す演算処理手段と、第１受信手段と、第１中継手段と、第２中継手段とを含む無線装置の制御方法であって、
前記無線制御装置から送信された第１制御信号を前記第１受信手段で受信するステップと、
前記第１制御信号に含まれる第１監視制御データを前記第１受信手段から前記第１中継手段を中継して前記演算処理手段に送信するステップと、
前記演算処理手段を経由した前記第１監視制御データを受信して前記第２中継手段を中継して前記第１受信手段に送信するステップと、
前記第１受信手段から前記第１中継手段に送信された前記第１監視制御データと、前記第２中継手段から前記第１受信手段に送信された前記演算処理手段を経由した前記第１監視制御データとをモニタリングするステップと、
を備えることを特徴とする無線装置の制御方法。
【請求項６】
アンテナを介して受信した無線信号に対し、無線制御装置からの指示に応じた処理を施す演算処理手段と、第１受信手段と、第１中継手段と、第２中継手段とを含む無線装置の制御プログラムであって、
前記無線制御装置から送信された第１制御信号を前記第１受信手段で受信するステップと、
前記第１制御信号に含まれる第１監視制御データを前記第１受信手段から前記第１中継手段を中継して前記演算処理手段に送信するステップと、
前記演算処理手段を経由した前記第１監視制御データを受信して前記第２中継手段を中継して前記第１受信手段に送信するステップと、
前記第１受信手段から前記第１中継手段に送信された前記第１監視制御データと、前記第２中継手段から前記第１受信手段に送信された前記演算処理手段を経由した前記第１監視制御データとをモニタリングするステップと、
をコンピュータに実行させることを特徴とする無線装置の制御プログラム。
【発明の詳細な説明】
【技術分野】
【０００１】
本発明は、無線装置における信号ラインのモニタリング技術に関する。
【背景技術】
【０００２】
上記技術分野において、非特許文献１に示されているように、ベースバンド信号の処理を行うＲＥＣ（無線制御装置）及び無線信号の処理を行うＲＥ（無線装置）間のレイヤ１とレイヤ２のインタフェースであるＣＰＲＩが知られている。
【０００３】
そして、無線基地局を無線制御装置と無線装置とに分離して無線制御装置と無線装置間のインタフェースをオープンにすることにより、無線基地局内の各機能部のマルチベンダ化を図っている。
【０００４】
ＣＰＲＩリンクを実装する無線装置のソフトウェア、ハードウェアの開発および不具合の調査の際に、無線装置を制御する制御管理プレーン（Control and management plane, 図中Ｃ＆Ｍ  ｐｌａｎｅ）をモニタリングすることは、開発の効率化や不具合の解決への期間短縮に繋がり、品質の向上に直結する。そこで、このモニタリングを特殊な設備を準備することなくＰＣ等の簡易な設備によって実行する技術が重要である。
【先行技術文献】
【特許文献】
【０００５】
【非特許文献１】Ｃｏｍｍｏｎ  Ｐｕｂｌｉｃ  Ｒａｄｉｏ  Ｉｎｔｅｒｆａｃｅ（ＣＰＲＩ）  ｓｐｅｃｉｆｉｃａｔｉｏｎ  ｖｅｒｓｉｏｎ  ４．１（http://www.cpri.info/jp/index.html）
【発明の概要】
【発明が解決しようとする課題】
【０００６】
しかしながら、上記文献に記載の技術では、制御管理プレーンをモニタリングして問題解決を効率的に行なうことができなかった。
【０００７】
本発明の目的は、上述の課題を解決する技術を提供することにある。
【課題を解決するための手段】
【０００８】
上記目的を達成するため、本発明に係る装置は、
アンテナを介して受信した無線信号に対し、無線制御装置からの指示に応じた処理を施す演算処理手段と、
前記無線制御装置から送信された第１制御信号を受信する第１受信手段と、
前記第１制御信号に含まれる第１監視制御データを前記演算処理手段に送信する第１中継手段と、
前記演算処理手段を経由した前記第１監視制御データを受信して前記第１受信手段に送信する第２中継手段と、
前記第１受信手段から前記第１中継手段に送信された前記第１監視制御データと、前記第２中継手段から前記第１受信手段に送信された前記演算処理手段を経由した前記第１監視制御データとをモニタリングするモニタリング手段と、
を備えることを特徴とする。
【０００９】
上記目的を達成するため、本発明に係る方法は、
アンテナを介して受信した無線信号に対し、無線制御装置からの指示に応じた処理を施す演算処理手段と、第１受信手段と、第１中継手段と、第２中継手段とを含む無線装置の制御方法であって、
前記無線制御装置から送信された第１制御信号を前記第１受信手段で受信するステップと、
前記第１制御信号に含まれる第１監視制御データを前記第１受信手段から前記第１中継手段を中継して前記演算処理手段に送信するステップと、
前記演算処理手段を経由した前記第１監視制御データを受信して前記第２中継手段を中継して前記第１受信手段に送信するステップと、
前記第１受信手段から前記第１中継手段に送信された前記第１監視制御データと、前記第２中継手段から前記第１受信手段に送信された前記演算処理手段を経由した前記第１監視制御データとをモニタリングするステップと、
を備えることを特徴とする。
【００１０】
上記目的を達成するため、本発明に係るプログラムは、
アンテナを介して受信した無線信号に対し、無線制御装置からの指示に応じた処理を施す演算処理手段と、第１受信手段と、第１中継手段と、第２中継手段とを含む無線装置の制御プログラムであって、
前記無線制御装置から送信された第１制御信号を前記第１受信手段で受信するステップと、
前記第１制御信号に含まれる第１監視制御データを前記第１受信手段から前記第１中継手段を中継して前記演算処理手段に送信するステップと、
前記演算処理手段を経由した前記第１監視制御データを受信して前記第２中継手段を中継して前記第１受信手段に送信するステップと、
前記第１受信手段から前記第１中継手段に送信された前記第１監視制御データと、前記第２中継手段から前記第１受信手段に送信された前記演算処理手段を経由した前記第１監視制御データとをモニタリングするステップと、
をコンピュータに実行させることを特徴とする。
【発明の効果】
【００１１】
本発明によれば、制御管理プレーンをモニタリングして無線装置における問題解決を効率的に行なうことができる。
【図面の簡単な説明】
【００１２】
【図１】本発明の第１実施形態に係る無線装置の構成を示すブロック図である。
【図２】本発明の第２実施形態に係る無線通信システムの前提技術の構成を示すブロック図である。
【図３】本発明の第２実施形態に係る無線通信システムの構成を示すブロック図である。
【図４】本発明の第２実施形態におけるモニタリング部の内部構成を示すブロック図である。
【図５】本発明の第２実施形態におけるＣＰＲＩのフレームおよびＭＩＩのフレームを示す図である。
【図６】本発明の第２実施形態における調停部のモニタリング対象についてのテーブルを示す図である。
【図７】本発明の第２実施形態における調停部のフローチャートである。
【図８】本発明の第３実施形態に係る無線通信システムの構成を示すブロック図である。
【図９】本発明の第４実施形態におけるモニタリング部の内部構成を示すブロック図である。
【図１０】本発明の第２実施形態に係る無線通信システムの各部構成の接続状況を示す図である。
【図１１】本発明の第２実施形態に係る無線通信システムの各部構成におけるデータの送受信を示す図である。
【発明を実施するための形態】
【００１３】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１４】
［第１実施形態］
本発明の第１実施形態としての無線装置１０１について、図１を用いて説明する。
【００１５】
図１に示すように、無線装置１０１は、演算処理部１０２と、第１受信部１０３と、第１中継部１０４と、第２中継部１０５と、モニタリング部１０６とを含む。
【００１６】
演算処理部１０２は、アンテナを介して受信した無線信号に対し、無線制御装置１１０からの指示に応じた処理を施す。第１受信部１０３は、無線制御装置１１０から送信された第１制御信号を受信する。第１中継部１０４は、第１制御信号に含まれる第１監視制御データを演算処理部１０２に送信する。第２中継部１０５は、演算処理部１０２を経由した第１監視制御データを受信して第１受信部１０３に送信する。
【００１７】
モニタリング部１０６は、第１受信部１０３から第１中継部１０４に送信された第１監視制御データと、第２中継部１０５から第１受信部１０３に送信された演算処理部１０２を経由した第１監視制御データとをモニタリングする。
【００１８】
以上の構成および動作により、本実施形態に係る無線装置によれば、制御管理プレーンをモニタリングして無線装置における問題解決を効率的に行なうことができる。
【００１９】
［第２実施形態］
次に本発明の第２実施形態に係る無線通信システム２００について、図２を用いて説明する。図２は、本実施形態に係る無線通信システムの前提技術の概要を説明するための図である。
【００２０】
（前提技術）
本実施形態の前提技術としてのＣＰＲＩ（Common Public Radio Interface）のＦａｓｔ  Ｃ＆Ｍ（Control & Management）  Ｃｈａｎｎｅｌのモニタリング方法の例を、ＣＰＲＩのＦａｓｔ  Ｃ＆Ｍ  Ｃｈａｎｎｅｌに関わる無線装置（RE:Radio Equipment）の構成を示す図２を用いて説明する。
【００２１】
図２において、無線通信システム２００は、無線基地局のベースバンド信号の処理を行う無線制御装置２１０と、無線信号の処理を行いデイジーチェーン接続される無線装置２０１、２２０とから構成される。
【００２２】
そして、無線装置２０１のＣＰＲＩ部２０３は、無線制御装置２１０と無線装置２０１とをＣＰＲＩリンクで接続する。同様に、ＣＰＲＩ部２０７は、無線装置２０１と２２０とをＣＰＲＩリンクで接続する。そして、ＣＰＲＩ部２０３、２０７は、ＣＰＲＩ信号に含まれる制御管理プレーン（制御管理プレーン：Control & Management Plane.図中ではＣ＆Ｍ  Ｐｌａｎｅ）とＳＹＮＣとＵ  ｐｌａｎｅとを分離する。
【００２３】
下りＬ２ＳＷ（Layer2 Switch）２０４は、無線制御装置２１０から出力された制御管理プレーンをＣＰＵ（Central Processing Unit）２０２と無線装置２２０とに出力する。一方、上りＬ２ＳＷ２０６は、無線装置２２０から出力される制御管理プレーンとＣＰＵ２０２から送信される制御管理プレーンを無線制御装置２１０に出力する。ＣＰＵ２０２は、制御管理プレーンの情報を元に無線装置２０１の監視制御を行う。ＣＰＵ２０２は、ＰＣ２４０とＥｔｈｅｒｎｅｔ（登録商標。以下、ＬＡＮという。）による接続を行なうために、ＩＥＥＥ  ８０２．３（非特許文献１）に準拠したＭＩＩ（Media Independent Interface）を実装し、ＬＡＮ２３１とコネクタ２３２と、ＣＰＵ２０２から出力される制御管理プレーンをモニタリングするＰＣ２４０とから構成される。
【００２４】
前提技術である制御管理プレーンのモニタリング方法において、ＣＰＵ２０２は制御管理プレーンをＰＣ２４０に出力するが、次のような課題がある。
【００２５】
第１に、ＣＰＵ２０２には、制御管理プレーンをＰＣ２４０に出力する処理が追加されるため本来の監視制御以外のモニタリング処理が必要となり、ＣＰＵ２４０の負荷が高くなる。
【００２６】
第２に、ＣＰＵ２０２は制御管理プレーンをＰＣ２４０に出力することによりモニタリングを実現する。そのため、ＣＰＵ２０２に接続されている下りＬ２ＳＷ２０４からＣＰＵ２０２の間（２７２）と、ＣＰＵ２０２から上りＬ２ＳＷ２０５の間（２７４）の信号ラインの制御管理プレーンのデータをモニタリングすることが可能である。
【００２７】
一方、ＣＰＲＩ部２０３から下りＬ２ＳＷ２０４の間（２７１）と、下りＬ２ＳＷ２０４からＣＰＲＩ部２０７の間（２７３）と、ＣＰＲＩ部２０７から上りＬ２ＳＷ２０５の間（２７５）と、上りＬ２ＳＷ２０５からＣＰＲＩ部２０３の間（２７６）の信号ラインの制御管理プレーンのデータをモニタリングすることができない。そのため、すべての信号ラインに生じた不具合を確認することができないため、信号ライン２７１、２７３、２７５、２７６のいずれかで不具合を生じた場合には、不具合の生じた箇所を特定することが難しい。
【００２８】
（実施形態）
本発明の第２実施形態に係る無線通信システム３００について、図３を用いて説明する。図３は、本実施形態に係る無線通信システム３００の構成を示すブロック図である。本実施形態は、ＣＰＲＩリンクを用いた無線基地局の無線信号を処理する無線装置３０１において、ＣＰＲＩの高速制御管理チャネルをＣＰＵに負荷を与えることなく、無線装置内の任意の高速制御管理チャネルをＰＣ等の簡易な設備にてモニタリングをできるようにしたことを特徴としている。
【００２９】
無線通信システム３００は、無線装置３０１と、無線制御装置３１０と、無線装置３２０とをマルチホップ接続する構成である（図１０参照）。なお、無線装置３０１は、ＰＣ３４０と通信可能に接続されている。
【００３０】
図１０において、無線装置３０１、３２０と、無線制御装置３１０とがマルチホップ接続された状態を示す。無線装置３０１は、無線制御装置３１０および無線装置３２０と接続されている。無線装置３２０は、無線制御装置３１０とは無線装置３０１を介して接続されている。
【００３１】
次に、図１１は、無線基地局１１００の概要を示す図である。無線基地局１１００は、無線制御装置３１０と、無線装置３０１、３２０とを備える。無線制御装置３１０は、レイヤ１（物理層）１１２１と無線装置３０１のレイヤ１（物理層）１１３１とを、ＣＰＲＩリンク１１２５により接続されており、アンテナを介して受信した無線信号中の制御信号を無線装置３０１に送信する。
【００３２】
無線装置３０１は、無線装置３２０と、レイヤ１（物理層）１１３１と無線装置３０１のレイヤ１（物理層）１１４１とを、ＣＰＲＩリンク１１３５により接続されており、アンテナを介して受信した無線信号中の制御信号や、無線制御装置３１０から取得した制御信号などを無線装置３２０に送信する。
【００３３】
以上のような構成からなる無線通信システム３００において、無線装置３０１の構成を説明する（図３）。無線装置３０１は、ＣＰＵ３０２と、ＣＰＲＩ部３０３、３０７と、下りＬ２スイッチ３０４と、上りＬ２スイッチ３０５とを備える。無線装置３０１は、さらに、モニタリング部３０６と、Ｅｔｈｅｒｎｅｔ  ＰＨＹ  チップ（ＬＡＮ）３３１と、コネクタ３３２と、スイッチ３３０とを備える。ＣＰＵ３０２は、制御プログラム３０８を備える。
【００３４】
まず、無線装置３０１のＣＰＲＩ部３０３は、無線制御装置３１０から第１制御信号を受信する。ＣＰＲＩ部３０３は、受信した第１制御信号に含まれる制御管理プレーンを下りＬ２スイッチ３０４に送信する。なお、第１制御信号は、同期信号であるＳＹＮＣデータと、ベースバンドのＩＱデータであるＵ  ｐｌａｎｅデータと、無線装置の監視制御を行なう制御管理プレーンデータとから構成される。また、ＣＰＲＩの制御管理プレーンは、データ伝送制御手順であるＨＤＬＣ（High-Level Data Link Control）を用いて監視制御を行なう低速制御管理チャネルと、高速イーサネット（登録商標）を用いて監視制御を行なう高速制御管理チャネルのいずれか１つ以上から構成される。
【００３５】
ＣＰＲＩ部３０３は、制御管理プレーンを下りＬ２スイッチ３０４に送信する（信号ライン３７１）。下りＬ２スイッチ３０４は、受信した制御管理プレーンをＣＰＵ３０２に送信する（信号ライン３７２）。ＣＰＵ３０２は、受信した制御管理プレーンを上りＬ２スイッチ３０５に送信する（信号ライン３７４）。そして、上りＬ２スイッチ３０５は、受信した制御管理プレーンをＣＰＲＩ部３０３に送信する（信号ライン３７３）。また、ＣＰＲＩ部３０７は、無線装置３２０から受信した第２制御信号に含まれる制御管理プレーンを上りＬ２スイッチ３０５に送信する（信号ライン３７５）。下りＬ２スイッチ３０４は、受信した制御管理プレーンをＣＰＲＩ部３０７に送信する（信号ライン３７６）。
【００３６】
モニタリング部３０６は、無線装置３０１内の制御管理プレーンの高速制御管理チャネルまたは低速制御管理チャネルのデータをモニタ３５１〜３５６により取り込む。モニタリング部３０６は、取り込んだデータをＬＡＮ３３１およびコネクタ３３２を介してＰＣ３４０に出力する。
【００３７】
スイッチ３３０は、制御管理プレーンの信号ライン（３７１〜３７６）について、モニタリングの対象とする箇所の有効（ＯＮ）／無効（ＯＦＦ）の設定をモニタ３５１〜モニタ３５６により選択することができる。モニタリング部３０６は、スイッチ３３０からのモニタリング対象の選択に基づいてモニタリングした制御管理プレーンのデータを、ＬＡＮ３３１に出力する。
【００３８】
モニタ３５１は、ＣＰＲＩ部３０３から下りＬ２スイッチ３０４に送信される信号ライン３７１をモニタリングする。モニタ３５２は、下りＬ２スイッチ３０４からＣＰＵ３０２に送信される信号ライン３７２をモニタリングする。モニタ３５３は、上りＬ２スイッチ３０５からＣＰＲＩ部３０３に送信される信号ライン３７３をモニタリングする。モニタ３５４は、ＣＰＵ３０２から上りＬ２スイッチ３０５に送信される信号ライン３７４をモニタリングする。モニタ３５５は、ＣＰＲＩ部３０７から上りＬ２スイッチ３０５に送信される信号ライン３７５をモニタリングする。モニタ３５６は、下りＬ２スイッチ３０４からＣＰＲＩ部３０７に送信される信号ライン３７６をモニタリングする。
【００３９】
（無線装置）
次に、無線装置３０１のモニタリング部３０６について図４を用いて説明する。図４は、モニタリング部３０６の内部構成を示すブロック図である。
【００４０】
図４において、ＦＩＦＯ（First In, First Out）回路４０１〜４０６は、モニタ３５１〜３５６においてそれぞれモニタリングした無線装置３０１内の制御管理プレーンの信号ライン３７１〜３７６の制御管理プレーンデータを格納する。そして、これら制御管理プレーンデータをフレーム単位で管理する（図５参照）。そして、モニタリング部３０６は、図４に示す調停部４０７に対して、スイッチ３３０（不図示）からモニタリング対象として選択された信号ラインのデータの出力要求があった場合には、フレーム単位で調停部４０７にデータを出力する。
【００４１】
調停部４０７は、スイッチ３３０（不図示）によるスイッチ番号の選択に従って、制御管理プレーンの信号ラインのＦＩＦＯ回路４０１〜４０６より信号ラインのデータを１フレーム単位で順番に読み出して４Ｂ／５Ｂ復号部４０８に出力する。
【００４２】
４Ｂ／５Ｂ復号部４０８とデータ補正部４０９と速度変換部４１０とは、一般的なＬＡＮ３３１がＭＩＩ（Media Independent Interface）のインタフェースを実装するため、ＭＩＩと異なるＣＰＲＩの高速制御管理チャネルのデータをＭＩＩのフォーマットに変換する機能を有する。なお、ＣＰＲＩ部３０３から送信される高速制御管理チャネルは、ＭＩＩのデータを４ビットから５ビットに拡張する４Ｂ／５Ｂ符号化したデータである。４Ｂ／５Ｂ復号部４０８は、調停部４０７からのＣＰＲＩのＣ＆Ｍプレーンを４Ｂ／５Ｂ復号して、データ補正部４０９に出力する。
【００４３】
次に、データ補正部４０９について説明する。図５は、４Ｂ／５Ｂ復号した後のＣＰＲＩのフレーム（左図）およびＭＩＩのフレーム（右図）を示す。本実施形態において、ＭＡＣ（Media Access Control）クライアントデータ５０１には、ＭＡＣレイヤのデータが入力される。また、フレームチェックシーケンス５０２は、デスティネーションアドレス５０３、ソースアドレス５０４、レングスタイプ５０５、およびＭＡＣクライアントデータ５０１の各データが正常か否か動作確認するための３２ビットのＣＲＣ（Cyclic Redundancy Check）で計算されたＣＲＣ値が付加される。
【００４４】
ＣＰＲＩのフレーム（左図）とＭＩＩのフレーム（右図）とを比較すると、ＣＰＲＩのＭＡＣ（Media Access Control）クライアントデータ５０１の最小値は１オクテットであるのに対し、ＭＩＩの最小値は４６オクテットと大きい。そのため、データ補正部４０９は、ＭＡＣクライアントデータ５０１のサイズが４６オクテット以上の場合にはそのまま出力する。一方、データ補正部４０９は、クライアントデータ５０１のサイズが４６オクテット未満の場合には、データサイズを４６オクテットにするためにデータを追加する。そしてさらに、フレームチェックシーケンス５０２を再計算して付け直して、速度変換部４１０に出力する。
【００４５】
次に、速度変換部４１０について説明する。ＣＰＲＩにおいて、制御管理プレーンの速度は、Ｌ１インバンドプロトコルのZ.194.0 Pointer pにより、1.92Mbpsから84.48Mbpsの範囲で選択できるのに対し、ＭＩＩでは、10Mbpsまたは100Mbpsを選択するため速度が異なる。そのため、速度変換部４１０は、受信したデータを10Mbpsまたは100Mbpsに変換し、ＬＡＮ３３１に出力する。
【００４６】
調停部４０７における処理を図６に示す設定値一覧及び図７に示すフローチャートを用いて説明する。図６は、調停部４０７のモニタリング対象についてのテーブルを示す図である。
【００４７】
図６において、スイッチ３３０は、調停部４０７に対してスイッチ番号６０１の選択により、モニタ３５１〜３５６をモニタリングするＦＩＦＯ回路４０１〜ＦＩＦＯ回路４０６のモニタのＯＮ（有効）６０２またはＯＦＦ（無効）６０３を決定（選択）する。このように、モニタリング対象はユーザにより手動で決定（選択）されて、スイッチ３３０によりモニタリング部３０６の調停部４０７に指示が出される。
【００４８】
次に、調停部４０７のフローチャートについて説明する。図７は調停部４０７における処理の流を示すフローチャートである。
【００４９】
ステップＳ７０１において、調停部４０７は、スイッチ番号と、ＦＩＦＯ回路４０１〜ＦＩＦＯ回路４０６とを選択するための変数ｎの初期値を１に設定する。次に、初期値をｎ＝１に設定したため、ステップＳ７０３において、スイッチ番号１（信号ライン３７１）の出力が有効かどうか確認し、出力が有効の場合はステップＳ７０５に進み、出力が無効の場合はモニタリングしないためステップＳ７０９に進む。
【００５０】
スイッチ番号１（信号ライン３７１）における出力が有効だった場合には、ステップＳ７０５において、調停部４０７は、ｎ＝１より、ＦＩＦＯ回路４０１内に監視制御データが格納されているか否かＦＩＦＯ回路４０１に確認する。制御管理プレーンデータがＦＩＦＯ回路４０１に格納されている場合には、ステップＳ７０７に進み、制御管理プレーンデータがＦＩＦＯ回路４０１に格納されていない場合には、モニタリングする制御管理プレーンデータが存在しないため、ステップＳ７０９に進む。
【００５１】
ステップＳ７０７において、ＦＩＦＯ回路４０１から信号ライン３７１の１フレーム分の制御管理プレーンデータを読み出して、４Ｂ／５Ｂ復号部４０８へ制御管理プレーンデータを出力する。ステップＳ７０９において、調停部４０７は、本実施形態においてスイッチ番号の最大値が６であるため、ｎ＝６の場合に、ＦＩＦＯ回路を選択するための変数ｎをｎ＝１の初期値に戻す。一方、調停部４０７は、変数ｎがｎ＝６以外の場合には、ｎ＝ｎ＋１に設定して次のスイッチ番号の処理を行うことにより、ラウンドロビンでＦＩＦＯ回路４０１〜ＦＩＦＯ回路４０６の制御管理プレーンデータのモニタリング処理を行う。
【００５２】
以上の構成および動作により、本実施形態によれば、制御管理プレーンをモニタリングして無線装置における問題解決を効率的に行なうことができる。
【００５３】
［第３実施形態］
本発明の第３実施形態に係る無線通信システム８００について、図８を用いて説明する。図８は、無線通信システム８００の構成を示すブロック図である。本実施形態に係る無線通信システム８００は、上記第２実施形態に比べると、モニタリング対象の選択をスイッチ３３０からＣＰＵ８０２において実行する点で異なる。その他の構成および動作は、第２実施形態と同様であるため、同じ構成および動作については同じ符号を付してその詳しい説明を省略する。
【００５４】
無線装置８０１のＣＰＵ８０２は、モニタリング対象とする制御管理プレーンをあらかじめ定められたタイミングまたは順序にしたがって選択して、選択したモニタリング対象をモニタリング部８０６に通知する。ここで、モニタリング対象の選択は、第２実施形態においては手動により行なわれていたが、ソフトウェアその他の方法により行なうことが可能である。さらに、モニタリング対象の選択は、制御管理プレーンを使用して無線制御装置３１０から指示を行なうことも可能である。また、モニタリングのタイミングや順序は、あらかじめ定められた時刻や、あらかじめ定められたタイミングや、あらかじめ定められたアクションが実行された後に行なわれるように設定することが可能であるが、これらに限られるものではない。
【００５５】
以上の構成および動作により、本実施形態によれば、モニタリング対象を選択するためのスイッチを必要としないため、新たな設備投資を行なうことなく制御管理プレーンをモニタリングすることが可能である。また、スイッチを用いないことから、手動ではなく自動で制御管理プレーンデータのモニタリングをすることが可能である。
【００５６】
［第４実施形態］
本発明の第４実施形態におけるモニタリング部９０６について、図９を用いて説明する。図９は、無線通信システムにおけるモニタリング部９０６の内部構成を示すブロック図である。本実施形態におけるモニタリング部９０６は、上記第２実施形態に比べると、ＭＩＩ−ＧＭＩＩ（gigabit media independent interface）変換部９０１を備える点で異なる。その他の構成および動作は、第２実施形態と同様であるため、同じ構成および動作については同じ符号を付してその詳しい説明を省略する。
【００５７】
ＭＩＩ−ＧＭＩＩ変換部９０１は、速度変換部４１０の後に設定されている。ＧＭＩＩは、１０００ＢＡＳＥ−Ｔを使用する場合のインタフェースの仕様である。１０００ＢＡＳＥ−Ｔの詳細については、ＩＥＥＥ  Ｓｔｄ．８０２．３−２００８に詳しい。
【００５８】
速度変換部４１０において制御管理プレーンデータをＭＩＩのデータの速度変換処理を行った後に、ＭＩＩのデータをさらにＧＭＩＩのデータに変換する。１０００ＢＡＳＥ−ＴをサポートするＰＣ３４０において、より高速なインタフェースで監視制御データのモニタリングをすることができる。
【００５９】
以上の構成および動作により、本実施形態によれば、モニタリング対象として選択した制御管理プレーンデータのモニタリング結果を、より高速なインタフェースを用いて取得することが可能である。
【００６０】
［他の実施形態］
以上、実施形態を参照して本願発明を説明したが、本願発明は上記実施形態に限定されものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００６１】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。
【００６２】
［実施形態の他の表現］
上記の実施形態の一部又は全部は、以下の付記のようにも記載されうるが、以下には限られない。
（付記１）
アンテナを介して受信した無線信号に対し、無線制御装置からの指示に応じた処理を施す演算処理手段と、
前記無線制御装置から送信された第１制御信号を受信する第１受信手段と、
前記第１制御信号に含まれる第１監視制御データを前記演算処理手段に送信する第１中継手段と、
前記演算処理手段を経由した前記第１監視制御データを受信して前記第１受信手段に送信する第２中継手段と、
前記第１受信手段から前記第１中継手段に送信された前記第１監視制御データと、前記第２中継手段から前記第１受信手段に送信された前記演算処理手段を経由した前記第１監視制御データとをモニタリングするモニタリング手段と、
を備えることを特徴とする無線装置。
（付記２）
前記第１受信手段から前記第１中継手段に送信される前記第１監視制御データと、前記第２中継手段から前記第１受信手段に送信される前記第１監視制御データのいずれかをモニタリング対象として選択する選択手段、
をさらに備えることを特徴とする付記１に記載の無線装置。
（付記３）
前記モニタリング手段は、前記第１中継手段から前記演算処理手段に送信される前記第１監視制御データと、前記演算処理手段から前記第２中継手段に送信され前記第１監視制御データとをモニタリングすることを特徴とする付記１または２に記載の無線装置。
（付記４）
他の無線装置から送信された第２制御信号を受信する第２受信手段をさらに備え、
前記モニタリング手段は、前記第２受信手段から送信された前記第２制御信号に含まれる第２監視制御データと、前記第１中継手段から送信された第１監視制御データとをモニタリングすることを特徴とする付記１ないし３のいずれか１項に記載の無線装置。
（付記５）
アンテナを介して受信した無線信号に対し、無線制御装置からの指示に応じた処理を施す演算処理手段と、第１受信手段と、第１中継手段と、第２中継手段とを含む無線装置の制御方法であって、
前記無線制御装置から送信された第１制御信号を前記第１受信手段で受信するステップと、
前記第１制御信号に含まれる第１監視制御データを前記第１受信手段から前記第１中継手段を中継して前記演算処理手段に送信するステップと、
前記演算処理手段を経由した前記第１監視制御データを受信して前記第２中継手段を中継して前記第１受信手段に送信するステップと、
前記第１受信手段から前記第１中継手段に送信された前記第１監視制御データと、前記第２中継手段から前記第１受信手段に送信された前記演算処理手段を経由した前記第１監視制御データとをモニタリングするステップと、
を備えることを特徴とする無線装置の制御方法。
（付記６）
アンテナを介して受信した無線信号に対し、無線制御装置からの指示に応じた処理を施す演算処理手段と、第１受信手段と、第１中継手段と、第２中継手段とを含む無線装置の制御プログラムであって、
前記無線制御装置から送信された第１制御信号を前記第１受信手段で受信するステップと、
前記第１制御信号に含まれる第１監視制御データを前記第１受信手段から前記第１中継手段を中継して前記演算処理手段に送信するステップと、
前記演算処理手段を経由した前記第１監視制御データを受信して前記第２中継手段を中継して前記第１受信手段に送信するステップと、
前記第１受信手段から前記第１中継手段に送信された前記第１監視制御データと、前記第２中継手段から前記第１受信手段に送信された前記演算処理手段を経由した前記第１監視制御データとをモニタリングするステップと、
をコンピュータに実行させることを特徴とする無線装置の制御プログラム。
【図１】
2013141130.tif 000003
【図２】
2013141130.tif 000004
【図３】
2013141130.tif 000005
【図４】
2013141130.tif 000006
【図５】
2013141130.tif 000007
【図６】
2013141130.tif 000008
【図７】
2013141130.tif 000009
【図８】
2013141130.tif 000010
【図９】
2013141130.tif 000011
【図１０】
2013141130.tif 000012
【図１１】
2013141130.tif 000013